(57)【要約】【課題】向きの変動による放熱への影響を抑制すること。【解決手段】実施形態の放熱部材は、光源が所定の面に取り付けられる基部の前記所定の面とは反対側の面から板状に立設され、所定の方向に並べて設けられる複数の放熱フィンと、前記複数の放熱フィンの対向する対向面に設けられる複数のリブと、を備え、前記複数のリブは、前記光源の位置から前記放熱フィンの立設方向に延びる線分から一端側に離れて前記立設方向に互いに離間して設けられる第１リブ群と、前記線分から他端側に離れて前記立設方向に互いに離間して設けられる第２リブ群とを含む。【選択図】図３
2018026313.tif 000002
【特許請求の範囲】
【請求項１】
光源が所定の面に取り付けられる基部の前記所定の面とは反対側の面から板状に立設され、所定の方向に並べて設けられる複数の放熱フィンと、
前記複数の放熱フィンの対向する対向面に設けられる複数のリブと、
を備え、
前記複数のリブは、前記光源の位置から前記放熱フィンの立設方向に延びる線分から一端側に離れて前記立設方向に互いに離間して設けられる第１リブ群と、前記線分から他端側に離れて前記立設方向に互いに離間して設けられる第２リブ群とを含む放熱部材。
【請求項２】
前記第１リブ群は、前記光源の位置を通る領域であって前記所定の方向に延びる領域と前記放熱フィンとの交差部分を示す前記線分から、前記一端側に離れて前記立設方向に互いに離間して設けられ、
前記第２リブ群は、前記線分から前記他端側に離れて前記立設方向に互いに離間して設けられる、
請求項１に記載の放熱部材。
【請求項３】
前記複数の放熱フィンのうち前記所定の方向における両端の放熱フィン以外の放熱フィンである内部放熱フィンが有する２つの前記対向面のうち、一方の対向面側に設けられた前記第１リブ群及び前記第２リブ群と、他方の対向面側に設けられた前記第１リブ群及び前記第２リブ群とは、前記内部放熱フィンにおける前記線分に対して線対称である請求項２に記載の放熱部材。
【請求項４】
前記一方の対向面側に設けられた前記第１リブ群は、前記一方の対向面側に設けられた前記第２リブ群から前記放熱フィンの幅方向に対して第１の方向に位置し、前記他方の対向面側に設けられた前記第１リブ群は、前記他方の対向面側に設けられた前記第２リブ群から前記幅方向に対して前記第１の方向とは反対向きの第２の方向に位置する請求項３に記載の放熱部材。
【請求項５】
（スリットにより、放熱効率向上）
前記基部の一部には、スリットが形成される、請求項１〜４のいずれか１つに記載の放熱部材。
【請求項６】
前記リブは、
前記基部側に向かって凸となる湾曲部、及び、前記湾曲部の両端から前記基部から離れるにつれて互いに近づく側壁部を有する、
請求項１〜５のいずれか１つに記載の放熱部材。
【請求項７】
前記リブは、
前記対向面に沿った円状の面を有する円柱形状である、
請求項１〜５のいずれか１つに記載の放熱部材。
【請求項８】
請求項１〜７のいずれか１つに記載の放熱部材と、
前記放熱部材に取り付けられる光源と、
を備える照明装置。
【発明の詳細な説明】
【技術分野】
【０００１】
本発明は、放熱部材及び照明装置に関する。
【背景技術】
【０００２】
従来から、スポットライト等の照射方向を任意の向きに変更可能な照明装置が提供されている。このような照明装置は、光源等が発する熱を効率的に放熱するために放熱部材を有する。例えば、照明装置の放熱部材には、板状に形成された複数の放熱フィンを有する放熱部材が用いられる。このような放熱部材においては、例えば、複数の放熱フィンが所定の方向に並べて設けられる。
【０００３】
従来の照明装置（例えば図１３参照）においては、複数の放熱フィンが一方向に並べられて設けられた放熱部材に、放熱フィンの強度を保つために各放熱フィン間を連結するリブが設けられる場合がある。例えば、このような照明装置においては、放熱フィンの幅方向の中央部を連結するように、放熱フィンの立設方向の全体に亘ってリブが形成される。
【先行技術文献】
【特許文献】
【０００４】
【特許文献１】特開２０１４−０４９３４７号公報
【発明の概要】
【発明が解決しようとする課題】
【０００５】
そのため、従来の照明装置においては、例えば照明装置の向きが水平方向になった場合、リブが水平方向に沿って位置するため、放熱効率の低下を抑制することが難しい。このように、上記の従来技術では、例えば、照射方向を任意の向きに変更可能な照明装置において、放熱部材による放熱が向きの変動の影響を受けにくくすることが難しい。
【０００６】
本発明は、上記に鑑みてなされたものであって、向きの変動による放熱への影響を抑制することができる放熱部材及び照明装置を提供することを目的とする。
【課題を解決するための手段】
【０００７】
上述した課題を解決し、目的を達成するために、本発明の一態様に係る放熱部材は、光源が所定の面に取り付けられる基部の前記所定の面とは反対側の面から板状に立設され、所定の方向に並べて設けられる複数の放熱フィンと、前記複数の放熱フィンの対向する対向面に設けられる複数のリブと、を備え、前記複数のリブは、前記光源の位置から前記放熱フィンの立設方向に延びる線分から一端側に離れて前記立設方向に互いに離間して設けられる第１リブ群と、前記線分から他端側に離れて前記立設方向に互いに離間して設けられる第２リブ群とを含む。
【発明の効果】
【０００８】
本発明の一態様によれば、向きの変動による放熱への影響を抑制することができる。
【図面の簡単な説明】
【０００９】
【図１】図１は、実施形態に係る照明装置を示す斜視図である。
【図２】図２は、実施形態に係る照明装置を示す斜視図である。
【図３】図３は、実施形態に係る照明装置を示す側面図である。
【図４】図４は、図３におけるＡ−Ａ断面を平面視した場合の図である。
【図５】図５は、図３におけるＢ−Ｂ断面を平面視した場合の図である。
【図６】図６は、実施形態に係る照明装置を示す上面図である。
【図７】図７は、実施形態に係る照明装置の向きを変更した場合における放熱の状態を説明するための図である。
【図８】図８は、実施形態に係る照明装置の向きを変更した場合における放熱の状態を説明するための図である。
【図９】図９は、実施形態と従来例の比較を示す図である。
【図１０】図１０は、変形例に係る照明装置の上面図である。
【図１１】図１１は、実施形態に係るリブの他の形状を示す図である。
【図１２】図１２は、実施形態に係る放熱部材を用いた他の照明装置を示す斜視図である。
【図１３】図１３は、従来例に係る照明装置を示す斜視図である。
【図１４】図１４は、従来例に係る照明装置を示す斜視図である。
【図１５】図１５は、従来例に係る照明装置を示す上面図である。
【図１６】図１６は、従来例に係る照明装置を示す側面図である。
【図１７】図１７は、従来例に係る照明装置の向きと中央リブとの関係を示す図である。
【発明を実施するための形態】
【００１０】
以下、実施形態に係る放熱部材を有する照明装置について図面を参照して説明する。なお、以下に説明する実施形態により放熱部材３０の用途が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１１】
（実施形態）
まず、図１〜図６を用いて、照明装置１の構成の概要を説明する。図１及び図２は、実施形態に係る照明装置を示す斜視図である。具体的には、図１は、放熱部材３０が立設される側の照明装置１の構成を示す斜視図である。図２は、光源１０が配置される側の照明装置１の構成を示す斜視図である。図３は、実施形態に係る照明装置を示す側面図である。図４は、図３におけるＡ−Ａ断面を平面視した場合の図である。図５は、図３におけるＢ−Ｂ断面を平面視した場合の図である。図６は、実施形態に係る照明装置を示す上面図である。以下では、図６中の放熱フィン３１−１〜３１−７の左右方向を幅方向とし、放熱フィン３１−１〜３１−７の上下方向を厚み方向とする。また、図３中の放熱フィン３１−１〜３１−７の上下方向を立設方向（高さ方向）とする。すなわち、図１〜図６に示す例においては、Ｘ軸方向を放熱フィン３１−１〜３１−７の幅方向とし、Ｙ軸方向を放熱フィン３１−１〜３１−７の立設方向とし、Ｚ軸方向を放熱フィン３１−１〜３１−７の厚み方向とする。
【００１２】
図１及び図２に示すように、照明装置１は、光源１０と、平板状の基部２０と、放熱部材３０とを有する。光源１０は、例えばＬＥＤ（Light  Emitting  Diode）等の所定の光源が用いられる。また、光源１０は矩形板状の基板１１上に設けられ、基板１１が基部２０の一面（所定の面）２１の中央部に設けられた円板状の載置部１２に配置される。このように、光源１０が一面２１に取り付けられる。光源１０は、基部２０を介して放熱部材３０に取り付けられる。すなわち、光源１０は、放熱部材３０に取り付けられる。なお、照明装置１は、光源１０の種類によっては、基板１１を有さず、光源１０が載置部１２に直接載置されてもよい。
【００１３】
基部２０は、例えば、矩形板状に形成される。基部２０の一面２１とは反対側の面（反対面）２２には、図３及び図６に示すように、放熱フィン３１−１〜３１−７を支持する円柱形状の支持部２０ａが形成される。また、照明装置１においては、基部２０と放熱部材３０とは一体に形成されてもよい。この場合、基部２０は、放熱フィン３１と同じ材料により形成され、例えばアルミニウムや銅等の熱伝導性の高い材料により形成される。なお、基部２０は、所望の熱伝導率を有していれば、どのような材料が用いられてもよい。基部２０のサイズは、取り付けられる光源１０等に応じて適宜設定されてもよい。例えば、基部２０は、長手方向（Ｘ軸方向）の長さが１００ｍｍであり、短手方向（Ｚ軸方向）の長さが５０ｍｍであってもよい。
【００１４】
放熱部材３０は、図３及び図６に示すように、所定の方向（Ｚ軸方向；放熱フィン３１の厚み方向）に並ぶ複数（７枚）の放熱フィン３１−１〜３１−７を有する。放熱部材３０は、金型により製造することができる。なお、放熱フィン３１−１〜３１−７を区別することなく説明を行う場合、放熱フィン３１と記載する。放熱フィン３１は、例えばアルミニウムや銅等の熱伝導性の高い材料により形成される。なお、放熱フィン３１は、所望の熱伝導率を有していれば、どのような材料が用いられてもよい。また、放熱フィン３１の枚数は７枚に限られない。
【００１５】
また、放熱フィン３１は、基部２０の反対面２２から板状に立設される。例えば、放熱フィン３１は、放熱フィン３１の厚み方向（Ｚ軸方向）に沿って並んで基部２０の反対面２２から立設される。
【００１６】
なお、放熱フィン３１の厚みは、高さ（立設方向の長さ）や幅（幅方向の長さ）等に応じて適宜設定されてもよい。例えば、放熱フィン３１の厚みは、２ｍｍであってもよい。また、放熱フィン３１の高さは、適宜設定されてもよく、例えば１３０ｍｍであってもよい。また、放熱フィン３１は、放熱フィン３１のサイズ等に応じて適宜設定される距離だけ放熱フィン３１間を離間させて並ぶ。例えば、放熱フィン３１は、放熱フィン３１間を６ｍｍだけ離間させて並ぶ。また、照明装置１は、放熱フィン３１の幅方向（Ｘ軸方向）の中央を通り、放熱フィン３１の厚み方向（Ｚ軸方向）に沿う軸を中心として回動するものとする。例えば、照明装置１は、基部２０が図１２に示すようなアーム部材２２０等の所定の回動機構を有する取付機構２３０により、天井や壁面に取り付けられる。
【００１７】
放熱部材３０は、図３に示すように、複数の放熱フィン３１の対向する対向面に設けられる複数のリブ３２ａ−１〜３２ａ−６、３２ｂ−１〜３２ｂ−６等を有する。例えば、図３に示すように、放熱フィン３１−１の対向面３１−１１と放熱フィン３１−２の対向面３１−２１との間に、複数のリブ３２ａ−１〜３２ａ−３、３２ｂ−１〜３２ｂ−３が設けられている。また、放熱フィン３１−２の対向面３１−２２と放熱フィン３１−３の対向面３１−３１との間に、複数のリブ３２ａ−４〜３２ａ−６、３２ｂ−４〜３２ｂ−６が設けられている。
【００１８】
なお、放熱フィン３１−３と放熱フィン３１−４との間、及び、放熱フィン３１−５と放熱フィン３１−６との間には、上述した複数のリブ３２ａ−１〜３２ａ−３、３２ｂ−１〜３２ｂ−３と同様の複数のリブが設けられている。
【００１９】
また、放熱フィン３１−４と放熱フィン３１−５との間、及び、放熱フィン３１−６と放熱フィン３１−７との間には、上述した複数のリブ３２ａ−４〜３２ａ−６、３２ｂ−４〜３２ｂ−６と同様の複数のリブが設けられている。
【００２０】
なお、詳細は後述するが、複数のリブ３２ａ−１〜３２ａ−６、３２ｂ−１〜３２ｂ−６は、放熱フィン３１の幅方向（Ｘ軸方向）における位置に応じて、第１リブ群３２ａ−１〜３２ａ−６と、第２リブ群３２ｂ−１〜３２ｂ−６とに分けられる。以下、複数のリブ３２ａ−１〜３２ａ−６、３２ｂ−１〜３２ｂ−６を区別して説明しない場合、単にリブ３２と記載する場合がある。
【００２１】
リブ３２は、例えば、図４に示すように、基部２０側に向かって凸となる湾曲部４０ａ、及び、湾曲部４０ａの両端から基部２０から離れるにつれて互いに近づく側壁部４０ｂを有する。かかるリブ３２の形状は、例えば、水滴形状とも称される。なお、リブ３２のサイズは、放熱フィン３１のサイズや放熱フィン３１間の間隔等に応じて適宜設定されてもよい。
【００２２】
複数のリブ３２の中から、まず、放熱フィン３１−１と放熱フィン３１−２との間に設けられるリブ３２ａ−１〜３２ａ−３、３２ｂ−１〜３２ｂ−３について図４を参照して説明する。
【００２３】
図４には、放熱フィン３１−１に対向する放熱フィン３１−２の対向面３１−２１を平面視した場合の照明装置１（図１等参照）が示されている。図４に示すように、リブ３２ａ−１〜３２ａ−３は、放熱フィン３１−１と放熱フィン３１−２との間に、線分８０から所定距離Ｌ１だけ放熱フィン３１−２の幅方向（Ｘ軸方向）の一端側（Ｘ軸のプラス方向側）に離れて、放熱フィン３１−２の立設方向（Ｙ軸方向）に互いに離間して設けられている。
【００２４】
ここで、線分８０は、光源１０の位置を通る領域であって放熱フィン３１−２の厚み方向（Ｚ軸方向）に延びる領域と、放熱フィン３１−２との交差部分を示す線分である。例えば、線分８０は、光源１０の位置から放熱フィン３１の立設方向に延びる線分である。
【００２５】
また、リブ３２ｂ−１〜３２ｂ−３は、放熱フィン３１−１と放熱フィン３１−２との間に、線分８０から所定距離Ｌ１だけ放熱フィン３１−２の幅方向（Ｘ軸方向）の他端側（Ｘ軸のマイナス方向側）に離れて、放熱フィン３１−２の立設方向（Ｙ軸方向）に互いに離間して設けられている。本実施形態では、図４に示すように、放熱フィン３１−２の幅方向における中央部には、リブ３２が設けられていない。
【００２６】
本実施形態では、線分８０から一端側に離れて設けられた複数のリブ３２ａ−１〜３２ａ−３を第１リブ群とし、線分８０から他端側に離れて設けられた複数のリブ３２ｂ−１〜３２ｂ−３を第２リブ群とする。
【００２７】
第１リブ群のリブ３２ａ−１は、第２リブ群のリブ３２ｂ−１から、線分８１が示す放熱フィン３１−２の幅方向（Ｘ軸方向）に対して、ＸＹ平面において、基部２０側に、角度θ１だけ傾いた矢印８２が示す方向（第１の方向）に位置する。
【００２８】
同様に、第１リブ群のリブ３２ａ−２は、第２リブ群のリブ３２ｂ−２から、放熱フィン３１−２の幅方向（Ｘ軸方向）に対して、ＸＹ平面において、基部２０側に、角度θ１だけ傾いた第１の方向に位置する。
【００２９】
また、第１リブ群のリブ３２ａ−３は、第２リブ群のリブ３２ｂ−３から、放熱フィン３１−２の幅方向（Ｘ軸方向）に対して、ＸＹ平面において、基部２０側に、角度θ１だけ傾いた第１の方向に位置する。
【００３０】
すなわち、第１リブ群３２ａ−１〜３２ａ−３は、第２リブ群３２ｂ−１〜３２ｂ−３から、幅方向に対して第１の方向に位置する。
【００３１】
そして、上述した第１リブ群３２ａ−１〜３２ａ−３及び第２リブ群３２ｂ−１〜３２ｂ−３と同様の複数のリブが、同様の配置で、放熱フィン３１−３と放熱フィン３１−４との間、及び、放熱フィン３１−５と放熱フィン３１−６との間に設けられている。
【００３２】
次に、放熱フィン３１−２と放熱フィン３１−３との間に設けられるリブ３２ａ−４〜３２ａ−６、３２ｂ−４〜３２ｂ−６について図５を参照して説明する。
【００３３】
図５には、放熱フィン３１−２に対向する放熱フィン３１−３の対向面３１−３１を平面視した場合の照明装置１（図１等参照）が示されている。図５に示すように、リブ３２ａ−４〜３２ａ−６は、放熱フィン３１−２と放熱フィン３１−３との間に、線分８５から所定距離Ｌ１だけ放熱フィン３１−３の幅方向（Ｘ軸方向）の一端側（Ｘ軸のプラス方向側）に離れて、放熱フィン３１−３の立設方向（Ｙ軸方向）に互いに離間して設けられている。
【００３４】
ここで、線分８５は、光源１０の位置を通る領域であって放熱フィン３１−２の厚み方向（Ｚ軸方向）に延びる領域と、放熱フィン３１−３との交差部分を示す線分である。例えば、線分８５は、光源１０の位置から放熱フィン３１の立設方向に延びる線分である。
【００３５】
また、リブ３２ｂ−４〜３２ｂ−６は、放熱フィン３１−２と放熱フィン３１−３との間に、線分８５から所定距離Ｌ１だけ放熱フィン３１−３の幅方向（Ｘ軸方向）の他端側（Ｘ軸のマイナス方向側）に離れて、放熱フィン３１−３の立設方向（Ｙ軸方向）に互いに離間して設けられている。本実施形態では、図５に示すように、放熱フィン３１−３の幅方向における中央部には、リブ３２が設けられていない。
【００３６】
本実施形態では、線分８５から一端側に離れて設けられた複数のリブ３２ａ−４〜３２ａ−６を第１リブ群とし、線分８５から他端側に離れて設けられた複数のリブ３２ｂ−４〜３２ｂ−６を第２リブ群とする。
【００３７】
第１リブ群のリブ３２ａ−４は、第２リブ群のリブ３２ｂ−４から、線分８６が示す放熱フィン３１−３の幅方向（Ｘ軸方向）に対して、ＸＹ平面において、基部２０とは反対側に、角度θ１だけ傾いた矢印８７が示す方向（第２の方向）に位置する。すなわち、リブ３２ａ−４は、リブ３２ｂ−４から、幅方向に対して上述した第１の方向とは反対向きの第２の方向に位置する。
【００３８】
同様に、第１リブ群のリブ３２ａ−５は、第２リブ群のリブ３２ｂ−５から、放熱フィン３１−３の幅方向（Ｘ軸方向）に対して第２の方向に位置する。
【００３９】
また、第１リブ群のリブ３２ａ−６は、第２リブ群のリブ３２ｂ−６から、放熱フィン３１−３の幅方向（Ｘ軸方向）に対して、第２の方向に位置する。
【００４０】
すなわち、第１リブ群３２ａ−４〜３２ａ−６は、第２リブ群３２ｂ−４〜３２ｂ−６から、幅方向に対して第１の方向とは反対向きの第２の方向に位置する。
【００４１】
そして、上述した第１リブ群３２ａ−４〜３２ａ−６及び第２リブ群３２ｂ−４〜３２ｂ−６と同様の複数のリブが、同様の配置で、放熱フィン３１−４と放熱フィン３１−５との間、及び、放熱フィン３１−６と放熱フィン３１−７との間に設けられている。
【００４２】
ここで、７枚の放熱フィン３１−１〜３１−７のうち、Ｚ軸方向における両端の放熱フィン３１−１、３１−７以外の放熱フィン３１−２〜３１−６は、２つの対向面を有する。なお、放熱フィン３１−２〜３１−６は、両端の放熱フィン３１−１、３１−７と比べると、内側に位置するため、内側放熱フィンとも称される。例えば、内側放熱フィンである放熱フィン３１−２は、２つの対向面３１−２１、３１−２２のうち、一方の対向面３１−２１側に設けられた第１リブ群３２ａ−１〜３２ａ−３及び第２リブ群３２ｂ−１〜３２ｂ−３と、他方の対向面３１−２２側に設けられた第１リブ群３２ａ−４〜３２ａ−６及び第２リブ群３２ｂ−４〜３２ｂ−６とは、放熱フィン３１−２における線分８０に対してリブ３２の配置が線対称である。他の内側放熱フィン（放熱フィン３１−３〜３１−６）においても同様である。
【００４３】
図７及び図８は、実施形態に係る照明装置の向きを変更した場合における放熱の状態を説明するための図である。図７は、実施形態に係る照明装置１の向きと第１リブ群３２ａ−１〜３２ａ−３及び第２リブ群３２ｂ−１〜３２ｂ−３との関係を示す図である。図８は、実施形態に係る照明装置１の向きと第１リブ群３２ａ−４〜３２ａ−６及び第２リブ群３２ｂ−４〜３２ｂ−６との関係を示す図である。図７及び図８を用いて、照明装置１の向きを変更した場合における放熱の状態を説明する。
【００４４】
図７に示す照明装置１−１１〜１−１３は、照射方向の向き毎の照明装置１を示す。なお、照明装置１−１１〜１−１３を区別しない場合、照明装置１と記載する。図７に示す照明装置１は、図３におけるＡ−Ａ断面を平面視した場合を示す。具体的には、図７は、放熱フィン３１−１に対向する対向面３１−２１を平面視した場合の照明装置１を示す。
【００４５】
例えば、照明装置１−１１は、照射方向が下向き（直下方向；０度）である場合を示す。以下では、図７の照明装置１−１１における基部２０の一面２１（図１参照）が臨む向きを下とし、照明装置１−１１における基部２０の反対面２２（図１参照）が臨む向きを上とする。また、照明装置１−１２は、照射方向が下向き（０度）から４５度傾斜した向き（斜め方向）である場合を示す。また、照明装置１−１３は、照射方向が横向き（水平方向；９０度）、具体的には左向きである場合を示す。照明装置１は、照明装置１−１１〜１−１３における位置を自由に回動可能である。なお、照射方向の調整は、手動に限らず、モータ等を使用した自動によるものであってもよい。
【００４６】
図７に示す照明装置１の放熱部材３０に重なる点線の矢印は、放熱部材３０における空気の流れを示す。図７に示す点線の矢印は、放熱部材３０において、熱によって暖められた空気が流れる状態を仮想的に示すものである。
【００４７】
例えば、照明装置１−１１においては、光源１０から基部２０へ伝達された熱は、基部２０から離れる上向き、すなわち放熱部材３０の立設方向へ上昇する。例えば、照明装置１−１１においては、光源１０から基部２０へ伝達された熱によって暖められた空気は、基部２０から離れる上向き、すなわち放熱部材３０の立設方向へ上昇する。そして、図７に示すように、空気が立設方向へ上昇することに伴い、照明装置１−１１の左右の両側から空気が流入する。そして、流入した空気は、放熱フィン３１−２の幅方向における光源１０の位置、すなわち、放熱フィン３１−２の幅方向における中央部にリブ３２が設けられていないため、かかる中央部まで流れ込む。そして、中央部まで流れ込んだ空気は、放熱部材３０の立設方向へ上昇する。このように、次々と、空気が中央部まで流れ込んでは上昇するため、照明装置１が０度である場合において、放熱フィン３１−２の幅方向における中央部の温度、すなわち、光源１０の上方の温度が高くなることが抑制される。よって、０度である場合に最も高くなると考えられる光源１０の温度の上昇を抑えることができる。
【００４８】
また、例えば、照明装置１−１２、１−１３においては、光源１０から基部２０へ伝達された熱は、リブ３２の間を通って上方へ上昇する。
【００４９】
図８は、照明装置１の向きと第１リブ群３２ａ−４〜３２ａ−６及び第２リブ群３２ｂ−４〜３２ｂ−６との関係を示す図である。図８に示す照明装置１−２１〜１−２３は、照射方向の向き毎の照明装置１を示す。なお、照明装置１−２１〜１−２３を区別しない場合、照明装置１と記載する。図８に示す照明装置１は、図３におけるＢ−Ｂ断面を平面視した場合を示す。具体的には、図８は、放熱フィン３１−２に対向する対向面３１−３１を平面視した場合の照明装置１を示す。なお、照明装置１−２１の照射方向の向きは、図７中の照明装置１−１１の照射方向の向きに対応する。また、照明装置１−２２の照射方向の向きは、図７中の照明装置１−１２の照射方向の向きに対応し、照明装置１−２３の照射方向の向きは、図７中の照明装置１−１３の照射方向の向きに対応する。
【００５０】
例えば、照明装置１−２１は、照射方向が下向き（直下方向；０度）である場合を示す。以下では、図８の照明装置１−２１における基部２０の一面２１（図１参照）が臨む向きを下とし、照明装置１−２１における基部２０の反対面２２（図１参照）が臨む向きを上とする。また、照明装置１−２２は、照射方向が下向き（０度）から４５度傾斜した向き（斜め方向）である場合を示す。また、照明装置１−２３は、照射方向が横向き（水平方向；９０度）、具体的には左向きである場合を示す。
【００５１】
図８に示す照明装置１の放熱部材３０に重なる点線の矢印は、放熱部材３０における空気の流れを示す。図８に示す点線の矢印は、放熱部材３０において、熱によって暖められた空気が流れる状態を仮想的に示すものである。
【００５２】
例えば、照明装置１−２１においては、光源１０から基部２０へ伝達された熱は、基部２０から離れる上向き、すなわち放熱部材３０の立設方向へ上昇する。例えば、照明装置１−２１においては、光源１０から基部２０へ伝達された熱によって暖められた空気は、基部２０から離れる上向き、すなわち放熱部材３０の立設方向へ上昇する。そして、図８に示すように、空気が立設方向へ上昇することに伴い、照明装置１−２１の左右の両側から空気が流入する。そして、流入した空気は、放熱フィン３１−３の幅方向における光源１０の位置、すなわち、放熱フィン３１−３の幅方向における中央部にリブ３２が設けられていないため、かかる中央部まで流れ込む。そして、中央部まで流れ込んだ空気は、放熱部材３０の立設方向へ上昇する。このように、次々と、空気が中央部まで流れ込んでは上昇するため、照明装置１が０度である場合において、放熱フィン３１−３の幅方向における中央部の温度、すなわち、光源１０の上方の温度が高くなることが抑制される。よって、０度である場合に最も高くなると考えられる光源１０の温度の上昇を抑えることができる。
【００５３】
また、例えば、照明装置１−２２、１−２３においては、光源１０から基部２０へ伝達された熱は、リブ３２の間を通って上方へ上昇する。
【００５４】
したがって、本実施形態に係る放熱部材３０によれば、後述する従来例の照明装置１００−３のように、中央リブ１３２が放熱フィン１３１の立設方向の全体に亘って形成される場合よりも、熱によって暖められた空気が上方へ抜けやすいため、向きの変動による放熱への影響を抑制することができる。
【００５５】
また、本実施形態に係る放熱部材３０によれば、照明装置１が０度である場合の光源１０の温度の上昇を抑えることができる。
【００５６】
ここで、図１３〜図１７に示す従来例に係る照明装置１００を用いて、従来の放熱部材の構成例を示す。照明装置１００は、光源１１０と、平板状の基部１２０と、放熱部材１３０とを有する。光源１１０は、例えばＬＥＤ等が用いられる。また、光源１１０は基板１１１上に設けられ、基板１１１が基部１２０の一面１２１に設けられた載置部１１２に配置される。
【００５７】
また、照明装置１００においては、所定の方向に並ぶ複数（７枚）の放熱フィン１３１−１〜１３１−７を有する放熱部材１３０が用いられる。なお、放熱フィン１３１−１〜１３１−７を区別して説明しない場合、放熱フィン１３１と記載する。放熱フィン１３１は、放熱フィン１３１の厚み方向に沿って並べられ、照明装置１００は、放熱フィン１３１の厚み方向に沿う軸を中心として回動するものとする。照明装置１００においては、基部１２０と放熱部材１３０とは一体に形成され、放熱フィン１３１は、基部１２０の一面１２１の反対面１２２から立設される。また、放熱部材１３０は、放熱フィン１３１間を連結する中央リブ１３２を有する。図１３や図１６に示すように、中央リブ１３２は、放熱フィン１３１の幅方向の中央部を連結するように、放熱フィン１３１の立設方向の全体に亘って形成される。また、図１３や図１５に示すように、中央リブ１３２は、放熱フィン１３１−１から放熱フィン１３１−７まで連続する。
【００５８】
次に、図１７を用いて、照明装置１００の向きを変更した場合における放熱の状態を説明する。図１７は、従来例に係る照明装置の向きと中央リブとの関係を示す図である。図１７に示す照明装置１００−１〜１００−３は、照射方向の向き毎の照明装置１００を示す。なお、照明装置１００−１〜１００−３を区別して説明しない場合、照明装置１００と記載する。図１７に示す照明装置１００は、図１６におけるＣ−Ｃ断面を平面視した場合を示す。具体的には、図１７は、放熱フィン１３１−１に対向する対向面１３１−２１を平面視した場合の照明装置１００を示す。
【００５９】
例えば、照明装置１００−１は、照射方向が下向き（直下方向；０度）である場合を示す。以下では、図１７の照明装置１００−１における基部１２０の一面１２１が臨む向きを下とし、照明装置１００−１における基部１２０の反対面１２２が臨む向きを上とする。また、照明装置１００−２は、照射方向が下向き（０度）から４５度傾斜した向き（斜め方向）である場合を示す。また、照明装置１００−３は、照射方向が横向き（水平方向；９０度）、具体的には左向きである場合を示す。照明装置１００は、照明装置１００−１〜１００−３における位置を自由に回動可能である。
【００６０】
図１７に示す照明装置１００の放熱部材１３０に重なる点線の矢印は、放熱部材１３０における空気の流れを示す。図１７に示す点線の矢印は、放熱部材１３０における熱によって暖められた空気が流れる状態を仮想的に示すものである。
【００６１】
例えば、照明装置１００−１においては、光源１１０から基部１２０へ伝達された熱によって暖められた空気は、基部１２０から離れる上向き、すなわち放熱部材１３０の立設方向へ上昇する。また、例えば、照明装置１００−２の中央リブ１３２より上側に位置する部分においては、光源１１０から基部１２０へ伝達された熱によって暖められた空気は、基部１２０から離れる向き、すなわち上方へ上昇する。また、例えば、照明装置１００−２の中央リブ１３２より下側に位置する部分においては、光源１１０から基部１２０へ伝達された熱によって暖められた空気は、中央リブ１３２に沿って、基部１２０から離れる向き、すなわち上方へ上昇する。
【００６２】
しかしながら、照明装置１００−３の中央リブ１３２より下側に位置する部分においては、中央リブ１３２が上側に位置するため、光源１１０から基部１２０へ伝達された熱によって暖められた空気が影響を受けることから、効率的に放熱することが難しい。
【００６３】
一方で、本実施形態に係る照明装置１は、上述したように、向きの変動による放熱への影響を抑制することができる。
【００６４】
また、照明装置１００−１においては、放熱フィン１３１−２の幅方向の中央部、すなわち、光源１１０の上方に中央リブ１３２が設けられている。このため、放熱フィン１３１−２の幅方向の中央部まで、放熱部材１３０の左右の両側から流入した空気が流れ込まない。このため、光源１１０の上方の温度が高くなり、０度である場合に光源１１０の温度が高くなってしまう。
【００６５】
一方で、本実施形態に係る照明装置１は、上述したように、０度である場合に最も高くなると考えられる光源１０の温度の上昇を抑えることができる。
【００６６】
また、本実施形態に係る照明装置１のリブ３２の総体積及び総重量は、従来例に係る照明装置１００の中央リブ１３２の体積及び重量よりも小さい。したがって、本実施形態に係る照明装置１によれば、軽量化及び低コスト化を図ることができる。
【００６７】
ここで、図９を用いて本実施形態における放熱部材３０の放熱効果と従来例における放熱部材１３０の放熱効果との比較結果を示す。図９は、実施形態と従来例の比較を示す図である。具体的には、図９は、実施形態に係る照明装置１や従来例に係る照明装置１００の照射方向の向き（照射角度）を０°〜９０°まで変更した場合における、光源１０、１１０として用いられるＬＥＤの温度の変化を示す。例えば、照射方向の向き（照射角度）が０°とは、照射方向が下向き（直下方向）である場合に対応し、図７中の照明装置１−１１や図１７中の１００−１に対応する。また、照射方向の向き（照射角度）が４５°とは、照射方向が下向きから４５°傾斜した向き（斜め方向）である場合に対応し、図７中の照明装置１−１２や図１７中の１００−２に対応する。また、照射方向の向き（照射角度）が９０°とは、照射方向が横向き（水平方向）、具体的には左向きである場合に対応し、図７中の照明装置１−１３や図１７中の１００−３に対応する。
【００６８】
図９に示す線ＬＮ１１は、照明装置１における光源１０であるＬＥＤの温度変化を示す。また、図９に示す線ＬＮ１２は、照明装置１００における光源１１０であるＬＥＤの温度変化を示す。図９に示す結果では、照射方向の向き（照射角度）が０°〜３０°位までの範囲では、照明装置１及び照明装置１００ともにＬＥＤの温度は８５℃前後である。一方、照射方向の向き（照射角度）が４５°以上になると、照明装置１００のＬＥＤの温度が上昇し始めるが、照明装置１のＬＥＤの温度は低下し始める。そして、照射方向の向き（照射角度）が９０°においては、照明装置１のＬＥＤの温度は８２℃前後になり、照明装置１００のＬＥＤの温度は９２℃前後になる。このように、照射方向の向き（照射角度）が大きくなるにつれて、照明装置１００のＬＥＤの温度は上昇するが、照明装置１のＬＥＤの温度は略均一になる。このように、照明装置１は、従来の照明装置１００に比べて、照射方向の向き（照射角度）の変動による放熱への影響を抑制することができる。
【００６９】
（変形例）
次に、実施形態に係る照明装置１の変形例について説明する。図１０は、変形例に係る照明装置１の上面図である。図１０に示すように、基部２０の一部にスリットが形成されていてもよい。基部２０側のスリットから空気が照明装置１の内部に流入し、更に冷却効果（放熱効率）が高まる。図９に示す線ＬＮ１３は、変形例に係る照明装置１における光源１０であるＬＥＤの温度変化を示す。線ＬＮ１３が示すように、変形例に係る照明装置１における光源１０であるＬＥＤの温度は、線ＬＮ１１が示す実施形態に係る照明装置１における光源１０であるＬＥＤの温度よりも全体的に２、３℃低くなっている。したがって、図９の線ＬＮ１３から、変形例に係る照明装置１によれば、更に冷却効果を高めることができることが分かる。
【００７０】
また、実施形態では、リブ３２が、いわゆる水滴形状である場合について説明したが、リブ３２の形状はこれに限られない。図１１は、実施形態に係るリブの他の形状を示す図である。例えば、図１１に示すように、リブ３２は、円状の面が放熱フィン３１の対向面に沿った円柱形状であってもよい。
【００７１】
また、上述した例においては、各対向する放熱フィン３１間に放熱フィン３１の立設方向に第１リブ群及び第２リブ群を一列に並べて設ける場合を示したが、向きの変動による放熱への影響を抑制することができれば、どのような態様で各対向する放熱フィン３１間にリブ３２を設けてもよい。
【００７２】
また、例えば、放熱部材３０は、図１２に示すような照明装置２に用いられてもよい。図１２は、実施形態に係る放熱部材を用いた他の照明装置を示す斜視図である。例えば、図１２に示す照明装置２は、いわゆるスポットライトとして用いられる照明装置である。図１２に示すように、照明装置２は、筐体２００内に所定の光源部２１０と放熱部材３０とを有してもよい。また、図１２の例では、照明装置２は、アーム部材２２０を有する取付機構２３０により回動可能に天井に取り付けられる。なお、上述した照明装置２は一例であり、放熱部材３０は、ダウンライト（ユニバーサル）等の種々の照明装置に用いられてもよい。また、放熱部材３０は、適用可能な装置であれば、どのような装置に適用されてもよい。
【００７３】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７４】
１      照明装置
１０    光源
２０    基部
３０    放熱部材
３１    放熱フィン
３２    リブ
【図１】
2018026313.tif 000003
【図２】
2018026313.tif 000004
【図３】
2018026313.tif 000005
【図４】
2018026313.tif 000006
【図５】
2018026313.tif 000007
【図６】
2018026313.tif 000008
【図７】
2018026313.tif 000009
【図８】
2018026313.tif 000010
【図９】
2018026313.tif 000011
【図１０】
2018026313.tif 000012
【図１１】
2018026313.tif 000013
【図１２】
2018026313.tif 000014
【図１３】
2018026313.tif 000015
【図１４】
2018026313.tif 000016
【図１５】
2018026313.tif 000017
【図１６】
2018026313.tif 000018
【図１７】
2018026313.tif 000019
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
光源が所定の面に取り付けられる基部の前記所定の面とは反対側の面から板状に立設され、所定の方向に並べて設けられる複数の放熱フィンと、
前記複数の放熱フィンの対向する対向面に設けられる複数のリブと、
を備え、
前記複数のリブは、前記光源の位置から前記放熱フィンの立設方向に延びる線分から一端側に離れて前記立設方向に互いに離間して設けられる第１リブ群と、前記線分から他端側に離れて前記立設方向に互いに離間して設けられる第２リブ群とを含む放熱部材。
【請求項２】
前記第１リブ群は、前記光源の位置を通る領域であって前記所定の方向に延びる領域と前記放熱フィンとの交差部分を示す前記線分から、前記一端側に離れて前記立設方向に互いに離間して設けられ、
前記第２リブ群は、前記線分から前記他端側に離れて前記立設方向に互いに離間して設けられる、
請求項１に記載の放熱部材。
【請求項３】
前記複数の放熱フィンのうち前記所定の方向における両端の放熱フィン以外の放熱フィンである内部放熱フィンが有する２つの前記対向面のうち、一方の対向面側に設けられた前記第１リブ群及び前記第２リブ群と、他方の対向面側に設けられた前記第１リブ群及び前記第２リブ群とは、前記内部放熱フィンにおける前記線分に対して線対称である請求項２に記載の放熱部材。
【請求項４】
前記一方の対向面側に設けられた前記第１リブ群は、前記一方の対向面側に設けられた前記第２リブ群から前記放熱フィンの幅方向に対して第１の方向に位置し、前記他方の対向面側に設けられた前記第１リブ群は、前記他方の対向面側に設けられた前記第２リブ群から前記幅方向に対して前記第１の方向とは反対向きの第２の方向に位置する請求項３に記載の放熱部材。
【請求項５】
前記基部の一部には、スリットが形成される、請求項１〜４のいずれか１つに記載の放熱部材。
【請求項６】
前記リブは、
前記基部側に向かって凸となる湾曲部、及び、前記湾曲部の両端から前記基部から離れるにつれて互いに近づく側壁部を有する、
請求項１〜５のいずれか１つに記載の放熱部材。
【請求項７】
前記リブは、
前記対向面に沿った円状の面を有する円柱形状である、
請求項１〜５のいずれか１つに記載の放熱部材。
【請求項８】
請求項１〜７のいずれか１つに記載の放熱部材と、
前記放熱部材に取り付けられる光源と、
を備える照明装置。